(57)【要約】      （修正有）【課題】実効線量の計算を高速に行うことが可能な治療計画装置、治療計画方法及びプログラムを提供する。【解決手段】患部を含む断層画像情報を表示する表示装置４３と、患部に設定された少なくとも１つの関心領域について照射された粒子線の線量分布の算出の要否を指定する算出指定情報の入力を受け入れる入力装置４２と、算出指定情報に基づいて、線量分布の算出が指定された関心領域の線量分布を算出する演算装置４０とを有する治療計画装置である。【選択図】図４
2020162701.tif 000002
【特許請求の範囲】
【請求項１】
患部を含む断層画像情報を表示する表示装置と、
前記患部に設定された少なくとも１つの関心領域について照射された粒子線の線量分布の算出の要否を指定する算出指定情報の入力を受け入れる入力装置と、
前記算出指定情報に基づいて、前記線量分布の算出が指定された前記関心領域の前記線量分布を算出する演算装置と
を有する治療計画装置。
【請求項２】
前記演算装置は、前記断層画像情報に前記関心領域を重畳して表示させる表示制御信号を前記表示装置に送出する表示制御部を有する請求項１に記載の治療計画装置。
【請求項３】
前記演算装置は、前記算出指定情報に基づいて、前記線量分布の算出が指定された前記関心領域の前記線量分布を算出する線量分布算出部を有する請求項１に記載の治療計画装置。
【請求項４】
前記入力装置は、前記線量分布の算出が指定された前記関心領域について、前記線量分布または前記線量分布に基づいて算出可能な指標の基準値の設定の要否を指定する基準値指定情報の入力を受け入れる請求項１に記載の治療計画装置。
【請求項５】
前記入力装置は、前記基準値指定情報として、前記基準値の設定が指定された前記関心領域についての前記基準値の入力を受け入れる請求項４に記載の治療計画装置。
【請求項６】
前記演算装置は、
前記基準値の設定が指定された前記関心領域について、算出した前記線量分布と前記基準値とを比較する比較部と、
前記比較部による比較結果を表示させる表示制御信号を前記表示装置に送出する表示制御部と
を有する請求項５に記載の治療計画装置。
【請求項７】
前記治療計画装置は、前記関心領域に照射される粒子線の照射計画を作成する照射計画作成装置を有し、
前記演算装置は、前記比較部による比較結果を前記照射計画作成装置に送出する比較結果送出部を有する
請求項６に記載の治療計画装置。
【請求項８】
前記演算装置は、前記比較部による比較結果に基づいて、前記関心領域に照射される粒子線の照射範囲を制御する制御信号を送出する制御信号送出部を有する請求項６に記載の治療計画装置。
【請求項９】
前記制御信号送出部は、前記制御信号として前記照射範囲を設定するゲート信号の幅を制御する信号を送出する請求項８に記載の治療計画装置。
【請求項１０】
前記演算装置は、前記断層画像情報が更新されたら設定された前記関心領域及び前記算出指定情報を更新する請求項１に記載の治療計画装置。
【請求項１１】
患部を含む断層画像情報を表示し、
前記患部に設定された少なくとも１つの関心領域について照射された粒子線の線量分布の算出の要否を指定する算出指定情報の入力を受け入れ、
前記算出指定情報に基づいて、前記線量分布の算出が指定された前記関心領域の前記線量分布を算出する
治療計画装置により実施される治療計画方法。
【請求項１２】
コンピュータにより実行されるコンピュータプログラムであって、
患部を含む断層画像情報を表示する表示機能と、
前記患部に設定された少なくとも１つの関心領域について照射された粒子線の線量分布の算出の要否を指定する算出指定情報の入力を受け入れる入力機能と、
前記算出指定情報に基づいて、前記線量分布の算出が指定された前記関心領域の前記線量分布を算出する演算機能と
を実現させるコンピュータプログラム。
【発明の詳細な説明】
【技術分野】
【０００１】
本発明は、治療計画装置、治療計画方法及びプログラムに関する。
【背景技術】
【０００２】
粒子線治療は、粒子線加速器により加速された荷電粒子をがん患部に照射することにより、がん細胞を破壊するがん治療法である。粒子線は、飛程の終端付近で最も線量集中性が高い。このため、がん患部で多くのエネルギーを放出させて、健康組織へのダメージを低減する特徴がある。一方、限定された小さい領域で大きなエネルギーを放出するため、高精度な計算と照射が求められる。
【０００３】
近年、細い粒子線ビームを用いて標的を塗りつぶすように照射する、スポットスキャニング法が主流な照射法になりつつある。どの角度からどのスポットへどのような照射量を照射すれば所望の線量分布を形成できるかは、最適化計算によって決定される。この過程を治療計画という。
【０００４】
治療計画には、臓器の輪郭をＲＯＩ（Ｒｅｇｉｏｎ  ｏｆ  Ｉｎｔｅｒｅｓｔ：関心領域）として入力する過程を含む。一般的に、異なる臓器は放射線に対する感度も違い、例えば同じ量の放射線を照射される場合は、骨に比べて粘膜がある臓器（腸など）はより大きなダメージを受ける。放射線にダメージされやすい臓器を危険臓器（ＯＡＲ：Ｏｒｇａｎ  ａｔ  Ｒｉｓｋ）という。多くの場合は医師がＲＯＩ入力作業を行うが、近年はソフトウェアによる自動入力もある。
【０００５】
治療計画によって作成された線量分布を評価する指標は臓器毎に異なり、医師によって指定される。例えば、「臓器Ａが処方線量のＸ％以上を照射される体積は、Ｙ％を超えてはならない」のような条件が最適化計算で用いられる。
【０００６】
治療に必要な線量を、一定の回数に分ける事を分割（ｆｒａｃｔｉｏｎａｔｉｏｎ）という。患者の身体、精神的な負担を考慮すると治療の短期間化が望ましいため、治療期間を短縮する目的で寡分割治療（ｈｙｐｏｆｒａｃｔｉｏｎａｔｅｄ  ｔｒｅａｔｍｅｎｔ）が提案された。これは、一回の照射する放射線の量を増やし、治療に必要な日数を減らす治療法である。
【０００７】
一回に照射する放射線を多くするには、治療の安全性を保障しなければならない。そこで、一日の照射をさらに複数回に分け、実際に照射された粒子線が形成する線量分布を確認しながら治療する方法が提案された。このように、計画していた線量分布と実際に照射されたビームが形成する線量分布（以下、実効線量と呼ぶこともある）の差を最小限に留め、安全な寡分割照射を行う。
【０００８】
また、分割回数によらず、治療中に実効線量を計算し、その結果に基づいて治療の続行、または中止、治療計画再作成の判断を行うことをオンラインアダプティブ治療（Ｏｎｌｉｎｅ  ａｄａｐｔｉｖｅ）という。
【０００９】
特許文献１には、マーカー位置データと陽子線照射データを記録する機能を備え、時刻情報を基にしてこれらマーカー位置データと陽子線照射データとを同期して、スポット照射時のマーカー位置データと陽子線照射データを用いて陽子線照射の実績線量分布を計算する粒子線線量評価システムが開示されている。
【先行技術文献】
【特許文献】
【００１０】
【特許文献１】特開２０１７−１７６５３３
【発明の概要】
【発明が解決しようとする課題】
【００１１】
オンラインアダプティブ治療を実現するためには、治療中に粒子線治療装置から照射されたビームの位置、照射量、エネルギー、照射が行われた時刻のデータまたはログファイルを取得し、それに基づいて実効線量の計算を行う必要がある。しかも、一日の照射をさらに複数回に分け、実際に照射された粒子線が形成する線量分布を確認しながら治療する場合、照射毎に実効線量を計算する必要がある。
【００１２】
しかし、粒子線の線量計算は、２つまたは３つのガウス分布を３次元ＣＴ上で畳み込み積分をする処理があり、計算時間に長時間を要する。従って、治療時間内に何回も実効線量を計算する場合は治療時間が延びてしまう。
【００１３】
また、オンラインアダプティブ治療に限らず、治療時間内に実効線量を計算するニーズは存在する。
【００１４】
本発明は上記の課題に鑑みてなされたもので、実効線量の計算を高速に行うことが可能な治療計画装置、治療計画方法及びプログラムを提供することにある。
【課題を解決するための手段】
【００１５】
上記課題を解決すべく、本発明の一つの観点に従う治療計画装置は、患部を含む断層画像情報を表示する表示装置と、患部に設定された少なくとも１つの関心領域について照射された粒子線の線量分布の算出の要否を指定する算出指定情報の入力を受け入れる入力装置と、算出指定情報に基づいて、線量分布の算出が指定された前記関心領域の線量分布を算出する演算装置とを有する。
【発明の効果】
【００１６】
本発明によれば、実効線量の計算を高速に行うことが可能となる。
【図面の簡単な説明】
【００１７】
【図１】実施例１に係る粒子線治療システムを示す概略構成図である。
【図２】実施例１に係る粒子線治療装置を示す概略構成図である。
【図３】実施例１の治療計画装置を示す構成図である。
【図４】実施例１の線量計算装置の機能を示す構成図である。
【図５】実施例１に係る粒子線治療システムの照射前の動作を示すフローチャートである。
【図６】実施例１の照射計画作成装置による治療計画作成処理を示すフローチャートである。
【図７】実施例１の線量計算装置による関心領域分類指定処理を示すフローチャートである。
【図８】実施例１の線量計算装置による関心領域分類指定処理において表示される画面の一例を示す図である。
【図９】実施例１に係る粒子線治療システムの線量分布算出動作を示すフローチャートである。
【図１０】実施例１の線量計算装置による線量分布算出の原理を説明する図である。
【図１１】実施例１の線量計算装置による線量分布算出の原理を説明する図である。
【図１２】実施例１の線量計算装置による線量分布算出の原理を説明する図である。
【図１３】実施例３の線量計算装置の機能を示す構成図である。
【図１４】実施例３に係る粒子線治療システムの線量分布算出動作を示すフローチャートである。
【図１５】実施例３の線量計算装置によるゲート幅制御の動作を説明する図である。
【発明を実施するための形態】
【００１８】
以下、本発明の実施形態について、図面を参照して説明する。なお、以下に説明する実施形態は特許請求の範囲に係る発明を限定するものではなく、また実施形態の中で説明されている諸要素及びその組み合わせの全てが発明の解決手段に必須であるとは限らない。
【００１９】
本発明の実施形態である治療計画装置は、陽子線や炭素線などの粒子線を用いた粒子線治療システムに適用される。粒子線治療システムは、患部に粒子線を照射することで、例えばがん患部の治療を行うシステムである。粒子線治療システムに用いられる粒子線は、上述した陽子線、炭素線など、既に実用化され、また、今後実用化されるであろう粒子線であれば限定はない。
【００２０】
なお、本明細書において「情報」と「データ」とは同義であるとし、特に区別せずに用いる。また、「情報」「データ」と記されている場合、その個数についての限定はない。さらに、その形式に限定はない。加えて言えば、いわゆるテーブル形式で記憶媒体に保管、格納されているデータ等もここにいう「情報」「データ」である。
【実施例１】
【００２１】
図１は、実施例１である治療計画装置が適用される、実施例１に係る粒子線治療システムを示す概略構成図である。本実施例の粒子線治療システムＳは、粒子線治療装置１と治療計画装置２とを有する。本実施例の粒子線治療システムＳは、スポットスキャニング法を採用したものである。
【００２２】
粒子線治療装置１は、患部に対して粒子線を照射してこの患部に対して治療を行う。
【００２３】
治療計画装置２は、照射計画作成装置３と線量計算装置４とを有する。
【００２４】
照射計画作成装置３は、患部に照射する粒子線の照射パラメータを決定する。決定される照射パラメータには、スポット毎のガントリー角度、エネルギー、照射位置、照射量が含まれている。照射計画作成装置３は、任意の粒子線の照射パラメータで照射した場合の線量分布を計算することができ、オペレータが標的に照射すべき線量を指定すると、照射計画作成装置３は患部が指定された線量で覆われるような線量分布を形成するために必要な粒子線の照射パラメータを最適化する計算を行う。照射計画作成装置３は、最適化計算の結果得られた照射パラメータで照射した場合の線量分布を計算し、オペレータ（含む医師）に提示する。照射計画作成装置３が計算した線量分布を医師が承認したら、照射計画作成装置３は照射パラメータを含む治療計画を粒子線治療装置１に送出する。
【００２５】
照射計画作成装置３は、事前にＸ線ＣＴ装置により撮像した、患部を含む断層画像情報である３次元Ｘ線ＣＴ画像の入力を受け入れ、これに基づいて断層画像情報に対して関心領域（ＲＯＩ）の輪郭を抽出する。
【００２６】
線量計算装置４は、照射計画作成装置３から関心領域の輪郭に関するデータを含むＲＯＩデータを受け入れ、Ｘ線ＣＴ画像にＲＯＩの輪郭画像を重畳して表示する。そして、線量計算装置４は、オペレータ（含む医師）からＲＯＩの分類の指定入力を受け入れる。
【００２７】
また、線量計算装置４は、粒子線治療装置１から実際に患部に照射した際の照射位置及び照射量に関するデータを含む照射ログデータの入力を受け入れる。また、線量計算装置４は、照射計画作成装置３からカーネルデータの入力を受け入れる。そして、線量計算装置４は、ＲＯＩの分類に基づいて、照射ログデータから得られるフルエンスマップ及びカーネルデータを用いて実効線量及び指標を算出する。
【００２８】
照射計画作成装置３は、線量計算装置４により計算された実効線量等に基づいて、残りの照射計画における粒子線の照射パラメータの再度の最適化（再計画、修正）を行う。
【００２９】
治療計画装置２、特に照射計画作成装置３及び線量計算装置４の動作の詳細については後に詳述する。
【００３０】
なお、図１では照射計画作成装置３と線量計算装置４とは別々に図示されているが、これら照射計画作成装置３等は、後述する治療計画プログラム２３２が治療計画装置２上において実行されることで、１台の治療計画装置２内に仮想的に構成されている。
【００３１】
図２は、実施例１に係る粒子線治療装置を示す概略構成図である。本実施例の粒子線治療装置１は、加速器、ビーム輸送系１３、照射ノズル１４、治療台１５及び照射制御装置１６を有する。図２では、加速器として入射器１１、シンクロトロン加速器１２の例を示したが、サイクロトロン加速器でも良い。ビーム輸送系１３は回転ガントリーを有するが、固定照射ポートでも良い。
【００３２】
入射器１１で発生して加速された粒子線はシンクロトロン加速器１２に入射し、このシンクロトロン加速器１２でさらに加速されてビーム輸送系１３に出射される。
【００３３】
ビーム輸送系１３は、複数の偏向電磁石１３ａと四極電磁石（図示せず）を備えており、シンクロトロン加速器１２と照射ノズル１４とに接続されている。また、ビーム輸送系１３の一部と照射ノズル１４は回転ガントリーに設置されており、ガントリーとともに回転することができる。シンクロトロン加速器１２から出射された粒子線は、ビーム輸送系１３内を通過しながら四極電磁石によって収束し、偏向電磁石１３ａによって方向を変えて照射ノズル１４に入射する。
【００３４】
照射ノズル１４は、走査電磁石と線量モニタとビーム位置モニタ（いずれも図示せず）とを有する。走査電磁石は、標的の位置においてビーム軸に垂直な面内の所望の位置に陽子線が到達するように陽子線を偏向する。線量モニタは、標的に照射される粒子線の照射量を計測するモニタである。ビーム位置モニタは、標的に照射される粒子線が通過した位置を検出することで、標的に照射される陽子線の照射位置を間接的に計測するためのモニタである。照射ノズル１４を通過した粒子線は、治療台１５上の照射対象（図示せず）内の標的に到達する。なお、癌などの患者を治療する場合、照射対象は患者を表し、標的は患部などを表す。
【００３５】
照射対象が載せられる治療台１５は照射制御装置１６からの指示に基づき、直交する３軸の方向へ移動することができ、さらにそれぞれの軸を中心として回転することができる。これらの移動と回転により、照射対象の位置を所望の位置に移動することができる。
【００３６】
照射制御装置１６は、シンクロトロン加速器１２、ビーム輸送系１３、照射ノズル１４、治療台１５などと接続されており、これらの機器を制御する。
【００３７】
図３は、実施例１の治療計画装置２を示す構成図である。
【００３８】
治療計画装置２は、例えば、マイクロプロセッサ（図中、ＣＰＵ：Ｃｅｎｔｒａｌ  Ｐｒｏｃｅｓｓｉｎｇ  Ｕｎｉｔ）２１、メモリ２２、記憶装置２３、通信インターフェース装置２４、ユーザインターフェース装置２５を有するコンピュータシステムとして構成される。
【００３９】
記憶装置２３は、例えば、フラッシュメモリデバイス、ハードディスクドライブ（ＨＤＤ）などから構成されており、オペレーティングシステム２３１と治療計画プログラム２３２といったコンピュータプログラムを記憶している。これらのコンピュータプログラム２３１、２３２以外に、ドライバソフトウェアなどのソフトウェア（不図示）も記憶装置２３に格納されている。
【００４０】
マイクロプロセッサ２１が、記憶装置２３に格納された治療計画プログラム２３２をメモリ２２に読み出して実行することにより、照射計画作成装置３及び線量計算装置４を含む治療計画装置２としての機能が実現される。
【００４１】
通信インターフェース装置２４は、粒子線治療装置１の照射制御装置１６と通信するための装置である。ユーザインターフェース装置２５は、治療計画装置２を使用するユーザ（医師）との間で情報を交換する装置である。ユーザインターフェース装置２５は、情報出力装置と情報入力装置とを含む。情報出力装置としては、例えば、ディスプレイ、プリンタ、音声合成装置等がある。情報入力装置としては、例えば、キーボード、ポインティングデバイス、タッチパネル、音声認識装置等がある。例えば、治療計画の計算結果と、治療計画プログラム２３２への操作とはディスプレイに表示される。
【００４２】
図４は、実施例１の線量計算装置４の機能を示す構成図である。本実施例の線量計算装置４は、制御部（演算装置）４０、記憶部４１、入力部（入力装置）４２及び表示部（表示装置）４３を有する。
【００４３】
制御部４０はマイクロプロセッサ２０１等からなり、線量計算装置４全体の制御を行う。制御部４０は、線量分布算出部４０１、表示制御部４０２、比較部４０３及び比較結果送出部４０４を有する。
【００４４】
線量分布算出部４０１は、入力部４２が受け入れた、患部に設定された少なくとも１つの関心領域について照射された粒子線の線量分布の算出の要否を指定する算出指定情報に基づいて、線量分布の算出が指定された関心領域の実効線量（線量分布）を算出する。線量分布算出部４０１が行う実効線量の算出手順については後に詳述する。
【００４５】
表示制御部４０２は、ユーザインターフェース装置２０５の情報出力装置であるディスプレイに各種画像を表示させるための表示制御信号を生成し、この表示制御信号をディスプレイに送出する。
【００４６】
具体的には、表示制御部４０２は、治療計画装置２が受け入れた３次元Ｘ線ＣＴ画像（断層画像情報）をディスプレイに表示させるとともに、照射計画作成装置３が抽出した関心領域の輪郭画像をこのＸ線ＣＴ画像に重畳して表示させる。また、表示制御部４０２は、比較部４０３による比較結果をディスプレイに表示させる。比較部４０３による比較結果の具体例については後述する。
【００４７】
比較部４０３は、基準値の設定が指定された関心領域について、線量分布算出部４０１が算出した実効線量と基準値とを比較する。この基準値は、入力部４２が受け入れた、実効線量の算出が指定された関心領域について、実効線量または実効線量に基づいて算出可能な指標についての基準値である。入力部４２は、この基準値の設定の要否及び基準値を基準値指定情報として受け入れる。
【００４８】
指標の一例として、関心領域にどれだけの線量の粒子線を照射させるかという線量条件が挙げられる。ある関心領域について実効線量がこの線量条件を上回っても下回っても、その後の治療計画を再計画または中止する必要があるので、比較部４０３の比較結果に基づいて照射計画作成装置３が治療計画の再計画等を行い、また、粒子線治療装置１が粒子線照射を停止する。加えて、比較部４０３は、治療計画装置２のオペレータ（含む医師）に対して、上述の表示制御部４０２及びディスプレイを介して、比較部４０３の比較結果を報知し、時には警告表示を行う。
【００４９】
比較結果送出部４０４は、比較部４０３の比較結果を照射計画作成装置３に送出する。
【００５０】
記憶部４１は、メモリ２２及び記憶装置２３等からなり、線量計算装置４の動作に必要なオペレーティングシステム２３１、治療計画プログラム２３２のうち線量計算装置４の動作にかかわるもの等のコンピュータプログラムを格納する。また、記憶部４１は、線量計算装置４の制御動作における各種データが一時的に格納する。
【００５１】
さらに、記憶部４１は、照射ログデータ４１１、ＲＯＩデータ４１２、カーネルデータ４１３、フルエンスマップ４１４、断層画像情報４１５、算出指定情報４１６、基準値指定情報４１７、線量分布データ４１８及び線量指標データ４１９を格納する。これらデータのうち一部については既に説明しており、説明をまだ行っていないデータについては後に詳述する。
【００５２】
入力部４２はユーザインターフェース装置２５の情報入力装置等からなり、線量計算装置４に対する各種データを受け入れ、受け入れたデータを制御部４０、記憶部４１に送出する。入力部４２が受け入れるデータの一例として、算出指定情報、基準値指定情報などがある。
【００５３】
表示部４３はユーザインターフェース装置２５の情報出力装置であるディスプレイ等からなり、制御部４０の表示制御部４０２が生成した表示制御信号に基づいて、表示面に画面を表示する。表示部４３が表示面に表示する画面の一例としては、断層画像情報であるＸ線ＣＴ画像、関心領域の輪郭画像、及び比較部４０３の比較結果などがある。
【００５４】
図５は、実施例１に係る粒子線治療システムＳの照射前の動作を示すフローチャートである。
【００５５】
まず、治療計画装置２の照射計画作成装置３は治療計画を作成する（ステップＳ１）。治療計画作成処理の詳細は後述する。次に、照射計画作成装置３は、ステップＳ１で作成した治療計画を粒子線治療装置１に送信し（ステップＳ２）、粒子線治療装置１は治療計画を受信する（ステップＳ３）。
【００５６】
そして、照射計画作成装置３は、ステップＳ１で作成した治療計画に基づいたカーネルデータ４１３を記憶装置２３に保存する（ステップＳ４）。ここに、カーネルデータ４１３とは、患部を含む患者体内の予想される線量分布を算出する際に用いられるデータである。
【００５７】
図６は、実施例１の照射計画作成装置３による治療計画作成処理を示すフローチャートである。図６に示すフローチャートは、図５におけるステップＳ１の詳細な動作を示すものである。
【００５８】
まず、照射計画作成装置３は、照射対象の患者のＸ線ＣＴ画像を読み込む（ステップＳ１１）。粒子線治療システムＳの外部にあるＸ線ＣＴ装置は、このＸ線ＣＴ画像を撮像する。Ｘ線ＣＴ装置によるＸ線ＣＴ画像の撮像のタイミングは任意である。Ｘ線ＣＴ装置は、撮像直後にＸ線ＣＴ画像を照射計画作成装置３に送出してもよいし、Ｘ線ＣＴ装置が自身のまたは外部の記憶装置にＸ線ＣＴ画像を格納し、照射計画作成装置３が図６に示す治療計画作成処理を開始するにあたってＸ線ＣＴ画像を読み込んでもよい。
【００５９】
次に、照射計画作成装置３は、ステップＳ１１で読み込んだＸ線ＣＴ画像を線量計算装置４に送出し、線量計算装置４は関心領域設定処理を実行する（ステップＳ１２）。線量計算装置４による関心領域設定処理の詳細は後述する。
【００６０】
次に、照射計画作成装置３はビームの照射方向の設定入力を受け入れ（ステップＳ１３）、患部、重要臓器へ入力する線量の処方入力を受け入れる（ステップＳ１４）。これらビームの照射方向の設定及び患部、重要臓器へ入力する線量の処方は、医師によりユーザインターフェース装置２０５の情報入力装置が操作されることにより入力される。線量の処方には、例えば、どの患部にどれだけの線量のビームを照射するか、ビームから保護すべき重要臓器はどれかといった情報が含まれる。なお、ステップＳ１３とステップＳ１４との実行順序は任意であり、図６に示すような順序に限定されない。
【００６１】
次に、照射計画作成装置３は、各スポットへの照射線量を最適化する（ステップＳ１５）。さらに、照射計画作成装置３は、各スポットについての照射角度と照射線量とを決定した後、患者体内の線量分布を計算する（ステップＳ１６）。
【００６２】
そして、照射計画作成装置３は、治療計画の作成結果をユーザインターフェース装置２５の情報出力装置であるディスプレイを通じて表示し（ステップＳ１７）、作成した治療計画を記憶装置２３へ保存する（ステップＳ１８）。
【００６３】
そして、医師が治療可能な治療計画だと判断するまで、医師による設定入力、処方入力を照射計画作成装置３が受け入れ、照射計画作成装置３は、受け入れた入力に基づいてステップＳ１３〜Ｓ１８の処理を繰り返す。
【００６４】
図７は、実施例１の線量計算装置４による関心領域分類指定処理を示すフローチャートである。図７に示すフローチャートは、図６におけるステップＳ１２の詳細な動作を示すものである。
【００６５】
まず、線量計算装置４の制御部４０は、照射計画作成装置３からＸ線ＣＴ画像及び関心領域の輪郭画像を受信する（ステップＳ２１）。制御部４０は、受信したＸ線ＣＴ画像（断層画像情報４１５）及び関心領域の輪郭画像（ＲＯＩデータ４１２）を記憶部４１に格納する。
【００６６】
次いで、制御部４０の表示制御部４０２は、ステップＳ２１で受診したＸ線ＣＴ画像に関心領域の輪郭画像を重畳して表示させる表示制御信号を表示部４３に送出する（ステップＳ２２）。表示部４３は、表示制御部４０２から送出された表示制御信号に基づいて、表示面にＸ線ＣＴ画像及び関心領域の輪郭画像を表示する。
【００６７】
図８は、実施例１の線量計算装置４による関心領域分類指定処理において表示される画面の一例を示す図である。表示部４３は、Ｘ線ＣＴ画像５１と、このＸ線ＣＴ画像５１に重畳して表示される関心領域の輪郭画像５２とを有する画面５０を表示する。
【００６８】
図７のフローチャートに戻って、線量分布を確認したい関心領域があるか否かを判定し（ステップＳ２３）、線量分布を確認したい関心領域があると判定したら（ステップＳ２３においてＹＥＳ）、入力部４２は、医師等からの関心領域の指定入力を受け入れる（ステップＳ２４）。次いで、入力部４２は、ステップＳ２４で指定入力を受け入れた関心領域について、医師等からその分類と線量条件（指標）の基準値との指定入力を受け入れる（ステップＳ２５）。
【００６９】
図８において、表示部４３は、いずれの関心領域の指定入力を受け入れるかを選択するプルダウンメニュー５３を表示する。入力部４２は、このプルダウンメニュー５３により選択された関心領域についての分類及び基準値の入力を受け入れる。
【００７０】
入力部４２は、ステップＳ２５で登録できる分類の指定入力として、まず以下の３種類を受け入れる。すなわち、（１）最重要ＲＯＩであり、実効線量を監視し、予め決定した線量条件を満たさない場合は治療計画を再度作成する、（２）重要ＲＯＩであり、実効線量を監視するが、治療を中断する指標ではない、（３）一般ＲＯＩであり、治療中に実効線量を計算しない（実効線量の確認よりも計算効率を優先する）。
【００７１】
照射計画作成装置３が抽出する関心領域は多数あるが、その中で、上述した危険臓器のように、実効線量を監視すべき臓器に対応する関心領域は限られている。そこで、実効線量を監視すべき関心領域を分類し、この関心領域については最低限実効線量を算出して監視する。これにより、線量分布算出部４０１が実効線量を算出する関心領域を減少させ、線量分布算出部４０１の演算速度を高めることができる。
【００７２】
入力部４２による分類の指定入力を受け入れない関心領域の分類は（つまりデフォルト値）は（３）一般ＲＯＩとする。すなわち、治療中の実効線量を監視する必要のない確認したくない関心領域については、入力部４２は指定入力を受け入れる必要がない。線量分布算出部４０１は（３）一般ＲＯＩと分類された関心領域についての実効線量を算出しないため、記憶装置２３の容量及び、治療中線量計算を行う照射制御装置１６のメモリを節約する効果がある。
【００７３】
表示部４３は、関心領域の分類指定入力用に２つのチェックボックス５４、５５を表示する。一方のチェックボックス５４は、プルダウンメニュー５３が操作されることにより選択された関心領域について、実効線量を監視する旨の指定入力を入力部４２が受け入れるチェックボックス５４である。他方のチェックボックス５５は、プルダウンメニュー５３が操作されることにより選択された関心領域について、線量条件の指定入力を入力部４２が受け入れるチェックボックス５５である。
【００７４】
図８において、チェックボックス５４、５５についての指定入力を入力部４２が受け入れた関心領域は上述した（１）最重要ＲＯＩとしての指定入力であり、チェックボックス５４のみの指定入力を入力部４２が受け入れた関心領域は上述した（２）重要ＲＯＩとしての指定入力である。
【００７５】
さらに、図８において、表示部４３は、線量条件の基準値についての数値入力を受け入れるボックス５６、５７を表示する。ボックス５６は基準値として「臓器Ａが処方線量のＸ％以上を照射される体積は、Ｙ％を超えてはならない」といった条件におけるＹ％の数値入力を入力部４２が受け入れるボックス５６である。一方、ボックス５７は基準値として粒子線照射の継続の可否を判定するための実効線量の数値（単位はＧｙ：グレイ）の入力を入力部４２が受け入れるボックス５７である。
【００７６】
入力部４２は、図８において表示部４３が表示する登録ボタン５８の操作入力を受け入れると、その時点で入力を受け入れている関心領域の分類及び基準値を受け入れる。制御部４０は、入力部４２が受け入れた情報を、算出指定情報４１６及び基準値指定情報４１７として記憶部４１に格納する。この後、制御部４０はステップＳ２３に戻り、動作を継続する。
【００７７】
一方、線量分布を確認したい関心領域がない（既に関心領域の登録等を行うべき関心領域がない）と判定したら（ステップＳ２３においてＮＯ）、制御部４０は図７に示す動作を終了する。
【００７８】
図９は、実施例１に係る粒子線治療システムＳの線量分布算出動作を示すフローチャートである。
【００７９】
まず、治療計画装置２の照射計画作成装置３は、図６のステップＳ１８で記憶装置２３に保存したカーネルデータ４１３を読み出し、線量計算装置４に送出する。線量計算装置４は、照射計画作成装置３から送出されたカーネルデータ４１３を読み込む（ステップＳ３１）。
【００８０】
一方、粒子線治療装置１は患者に対して粒子線を照射する（ステップＳ３２）。そして、粒子線治療装置１が一定線量を患者に照射したら（例えば０．５Ｇｙ毎）、粒子線治療装置１は治療計画装置２に照射ログデータ４１１を送信する（ステップＳ３３）。照射ログデータ４１１には、線量モニタによって測定した照射量、ビーム位置モニタによって測定した照射位置を含む 。
【００８１】
治療計画装置２の線量計算装置４は、粒子線治療装置１から照射ログデータ４１１が送信されるのを待機しており、粒子線治療装置１から照射ログデータ４１１が送信されるとこれを受信する（ステップＳ３４）。
【００８２】
次いで、線量計算装置４の線量分布算出部４０１は、ステップＳ３２で受信した照射ログデータ４１１に基づいてフルエンスマップ４１４を生成する（ステップＳ３５）。さらに、線量分布算出部４０１は、ステップＳ３５で生成したフルエンスマップ４１４に基づいて、分類（１）、（２）に分類された関心領域について実効線量を算出する（ステップＳ３６）。
【００８３】
そして、表示制御部４０２は、ステップＳ３６で算出された実効線量を表す画面を表示部４３の表示面に表示させるための表示制御信号を生成し、表示部４３に送出する。表示部４３はこの表示制御信号に基づいて実効線量を表す画面を表示面に表示する（ステップＳ３７）。
【００８４】
図１０は、実施例１の線量計算装置４による線量分布算出の原理を説明する図である。
【００８５】
患者に照射される粒子線は、仮想的なフルエンスマップ（流量）マップ（Ｆｌｕｅｎｃｅ  Ｍａｐ）４１４を形成する。フルエンスマップ４１４はマトリクス状に配置された要素ｊを有する。それぞれのフルエンスマップ要素ｊは、照射ログデータ４１１に基づいて算出された、実際にフルエンスマップ４１４の各要素ｊの平面位置から患者に照射された粒子線の照射量に相当する値を有する。
【００８６】
図１１は、実施例１の線量計算装置４による線量分布算出の原理を説明する図であり、ステップＳ３１で読み込んだカーネルデータ４１３を示す図である。
【００８７】
図１０を参照して、カーネルデータ４１３は、フルエンスマップ４１４の各要素ｊから粒子線が患者体内に照射される際に、この粒子線が患者６の関心領域６１の微小体積ｉのそれぞれでどのように吸収されるかを示す値（割合）をフルエンスマップ４１４の各要素について算出した値の集合である。言い換えれば、カーネルデータ４１３は、フルエンスマップ４１４の各要素ｊに単位照射量（すなわち照射量が１とする）が入射される場合、関心領域６１の微小体積ｉのそれぞれに形成される線量分布を集合したものである。
【００８８】
カーネルデータ４１３の各要素はＫｉｊは、フルエンスマップ４１４の各要素ｊが関心領域６１の微小体積ｉに与える影響、すなわち線量寄与を示す。フルエンスマップ４１４の行４１４ａは、微小体積ｉがフルエンスマップ４１４の各要素ｊから受ける影響を示す。フルエンスマップ４１４の列４１４ｂは、フルエンスマップ４１４の各要素ｊが微小体積ｉの全てに形成する線量分布を示す。
【００８９】
図１２は、実施例１の線量計算装置４による線量分布算出の原理を説明する図であり、線量分布算出部４０１による実効線量を算出する式を示す図である。
【００９０】
関心領域の実効線量は、カーネルデータ４１３とフルエンスマップ４１４との積で表される。ここで、図１２に示すように、カーネルデータ４１３及びフルエンスマップ４１４はそれぞれ行列で表されるので、関心領域の実効線量もこれら行列の積として表される。
【００９１】
従来の関心領域の実効線量を算出する手順は、２つまたは３つのガウス分布を３次元Ｘ線ＣＴ上で畳み込み積分（ｃｏｎｖｏｌｕｔｉｏｎ）するものである。従って、粒子線治療装置１による一定線量の粒子線照射の度に関心領域の実効線量を算出する作業に長時間を要していた。本実施例の線量分布算出部４０１による実効線量の算出手順は、図１２に示すように行列積を求めるものであり、一般的な畳み込み積分による算出手順に比較して算出処理が簡易であり、その結果、一般的な手法より高速に実効線量を算出することができる。
【００９２】
図９に戻って、比較部４０３は、分類（１）に分類された関心領域についてステップＳ３６で算出された実効線量と設定された基準値とを比較し、実効線量が線量条件を満たすか否かを判定する（ステップＳ３８）。実効線量が線量条件を満たすか否かの判定は、実効線量が基準値と略等しければ比較部４０３は線量条件を満たすと判定し、実効線量が基準値を上回っても下回っても比較部４０３は線量条件を満たさないと判定する。
【００９３】
比較部４０３は、実効線量が線量条件を満たすと判定する際の、基準値に対する範囲を設定してもよい。つまり、実効線量が基準値に対して±Ｚ１または±Ｚ２％（Ｚ１、Ｚ２ともに正の数値）以内であれば、比較部４０３は実効線量が基準値と略等しいと判定することができる。
【００９４】
そして、比較部４０３が、実効線量が線量条件を満たすと判定したら（ステップＳ３８においてＹＥＳ）、ステップＳ３４に戻って、線量計算装置４は粒子線治療装置１から照射ログデータ４１１が送信されるのを待機する。
【００９５】
一方、比較部４０３が、実効線量が線量条件を満たさないと判定したら（ステップＳ３８においてＮＯ）、表示制御部４０２は、実効線量が線量条件を満たさないことを報知する警告表示画面を表示部４３の表示面に表示させるための表示制御信号を生成し、この表示制御信号を表示部４３に送出する。表示部４３は、表示制御部４０２から送出された表示制御信号に基づいて警告表示画面を表示する（ステップＳ３９）。
【００９６】
また、比較結果送出部４０４は、粒子線治療装置１による粒子線照射の停止を指示する照射停止指示信号を粒子線治療装置１に送出する（ステップＳ３９）。粒子線治療装置１は、比較結果送出部４０４から送出された照射停止指示信号に基づいて、患者への粒子線照射を停止する（ステップＳ４０）。
【００９７】
そして、比較結果送出部４０４は照射計画作成装置３に比較部４０３の比較結果を送出する。照射計画作成装置３は、この比較結果に基づいて治療計画を再作成し（ステップＳ４１）、再作成した治療計画を粒子線治療装置１に送信する（ステップＳ４２）。粒子線治療装置１は照射計画作成装置３から送信された治療計画を受信し（ステップＳ４３）、この治療計画に基づいて粒子線を照射する（ステップＳ４４）。
【００９８】
なお、照射計画作成装置３による治療計画の再作成は、入力部４２が医師からの治療計画の再作成に関する指示入力を受け入れてから行ってもよい。また、入力部４２が医師から粒子線治療装置１による治療の続行または中止に関する指示入力を受け入れたら、照射計画作成装置３は治療計画の再作成を行わないこともできる。
【００９９】
このように構成される本実施例によれば、表示部４３が患部を含むＸ線ＣＴ画像４１５を表示し、入力部４２が、患部に設定された少なくとも１つの関心領域について線量分布の算出の要否を指定する算出指定情報４１６の入力を受け入れ、制御部４０、特に線量分布算出部４０１が、算出指定情報４１６に基づいて線量分布の算出が指定された関心領域の線量分布を算出している。
【０１００】
従って、本実施例によれば、線量分布算出部４０１が、線量分布の算出が指定された関心領域についてのみ線量分布を算出することができる。これにより、実効線量の計算を高速に行うことが可能な治療計画装置、治療計画方法及びプログラムを提供することができる。
【０１０１】
この結果、オンラインアダプティブ治療を行う際に、患者への実効線量を確認した上で粒子線照射を行うことができ、医師による判断を的確に支援することができる。また、計画した線量と照射された実効線量の差を微小な範囲に留めることが、より安全な治療を提供可能である。
【実施例２】
【０１０２】
上述の実施例１では、治療計画時のＸ線ＣＴ画像（断層画像情報４１５）を用いてカーネルデータ４１３を作成していたが、患者の身体、特に照射する標的である患部の近くで解剖学的変化が生じる恐れがある場合、照射を受ける日のＸ線ＣＴ画像からカーネルデータ４１３を作成することができる。
【０１０３】
解剖学的変化は、体重の増減、腫瘍の縮小、鼻づまりまたは組織の腫れなどを含む。その変化により、体内のビーム飛程が変化すること（すなわちビームが止まる位置が変化すること）が考えられる。患者身体の日々の変化を考慮し、カーネルデータ４１３を作成することで、より安全な治療を提供することができる。
【０１０４】
患者の当日のＸ線ＣＴ画像を撮影した後、そのＸ線ＣＴ画像を用いて図５のフローチャートを実施し、カーネルデータ４１３を作成する。既に一度同一の患者に対して図５のフローチャートを実行したことがある場合、関心領域についての臓器名または識別番号、関心領域の輪郭画像を含むＲＯＩデータ４１２、及び、算出指定情報４１６、基準値指定情報４１７を新しいＸ線ＣＴ画像に自動的に転写する。
【０１０５】
これにより、医師が操作する時間を減らすことができる。加えて、カーネルデータ４１３の計算は他の治療準備（例えば患者の位置決め）と並行に進めることができるので、Ｘ線ＣＴ画像を置き換えたことによる時間的ロスを低減することができる。
【実施例３】
【０１０６】
図１３は、実施例３の線量計算装置４の機能を示す構成図である。なお、以下の説明において、実施例１と同様の構成要素については同一の符号を付し、その説明を簡略化する。
【０１０７】
体幹、特に肺付近の呼吸により位置が変わる腫瘍を精度よく照射するために、動体追跡照射技術が開発された（例えば特許５９７６４７４号）。動体追跡照射では、一定頻度（例えば１秒間３０回）で腫瘍付近のＸ線透視画像を撮影する。Ｘ線透視画像を計算機で解析することで、腫瘍の位置を求め、腫瘍位置が予め設定した範囲にあるときに、照射可能を意味するゲート信号を照射装置に送信する。照射装置が照射可能を意味するゲート信号が立ち上がる間に、ビームを照射する。
【０１０８】
なお、腫瘍位置の解析は、腫瘍付近に人工的に刺入したマーカの動きを解析するものと、患者の臓器の画像データのみで位置を解析する方法を含む。
【０１０９】
動体追跡照射技術により、動く臓器への高精度照射が可能になった。その一方、腫瘍が所定位置からずれた場合はビームを照射できないため、治療時間が増える可能性がある。ゲート信号の幅が広ければ（即ち立ち上がりの時間が長ければ）、照射できる時間も増えるため治療時間が短くなるが、照射時間内に臓器が移動しているため、照射の精度が低下する。ここで、精度と時間はトレードオフ関係にある。
【０１１０】
図１３に示す本実施例の線量計算装置４は、上述の実施例１の線量計算装置４に加えて、制御信号送出部４０５を有する点のみ異なり、その他の構成要素については実施例１の構成要素と同一である。
【０１１１】
制御信号送出部４０５は、比較部４０３の比較結果に基づいて、関心領域に照射される粒子線の照射範囲を制御する制御信号を送出する。ここにいう制御信号とは、一例として、粒子線治療装置１に送出するゲート信号である。
【０１１２】
図１４は、実施例３に係る粒子線治療システムＳの線量分布算出動作を示すフローチャートである。
【０１１３】
図１４に示すフローチャートにおいて、ステップＳ５１〜Ｓ５７までは、図９に示す実施例１のフローチャートのステップＳ３０〜Ｓ３７までと同様である。
【０１１４】
次いで、比較部４０３は、実効線量Ｔと線量指標Ｃとを比較する（ステップＳ５８）。その結果、比較部４０３が、実効線量Ｔが線量指標Ｃより小さいと判定したら（ステップＳ５８においてＴ＜Ｃ）、制御信号送出部４０５は、現在粒子線治療装置１に送出しているゲート信号の幅を広げる制御を行う（ステップＳ５９）。また、比較部４０３が、実効線量Ｔが線量指標Ｃより大きいと判定したら（ステップＳ５８においてＴ＞Ｃ）、制御信号送出部４０５は、現在粒子線治療装置１に送出しているゲート信号の幅を狭める制御を行う（ステップＳ６０）。そして、比較部４０３が、実効線量Ｔが線量指標Ｃと略等しいと判定したら（ステップＳ５８においてＴ＝Ｃ）、ステップＳ５４に戻って、線量計算装置４は粒子線治療装置１から照射ログデータ４１１が送信されるのを待機する。
【０１１５】
そして、制御信号送出部４０５は、ゲート信号を広げる、または狭める制御を行ったら、変更したゲート信号を粒子線治療装置１に送出する（ステップＳ６１）。粒子線治療装置１は、線量計算装置４から受信したゲート信号に基づいて、粒子線照射に用いるゲート信号を変更する（ステップＳ６２）。
【０１１６】
図１５は、実施例３の線量計算装置４によるゲート幅制御の動作を説明する図である。線量指標Ｃとして安全な線量指標Ｃ０を設定すると、その指標の達成度により制御信号送出部４０５がゲート信号の幅にフィードバックをかけ、一定時間後には治療中の患者に対する最も効率が良いゲート幅で安定させる制御を行うことができる。
【０１１７】
従って、本実施例によれば、線量分布算出部４０１が実効線量を算出しているので、線量指標に対する実効線量の精度を確認しながらゲート信号の幅を調整することができる。これにより、本実施例の線量計算装置４によれば、照射の精度と照射時間とを最適化することができる。
【０１１８】
加えて、本実施例の線量計算装置４によれば、治療効果に影響しない、例えば過去の治療経験に基づく線量条件を常に満足する前提でゲート信号の幅を広げることにより、治療時間を短縮する効果が得られる。
【０１１９】
なお、本実施例において、動体追跡で監視した腫瘍位置と時間の関係を粒子線治療装置１が線量計算装置４に送信し、さらに、粒子線治療装置１が、照射量と照射位置に加え、時間情報を線量計算装置４に送信することができる。これにより、線量計算装置４において、腫瘍の移動量を照射位置に反映し、体動を考慮したフルエンスマップ４１４を作成する事が可能になる。
【変形例】
【０１２０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【０１２１】
一例として、上述の実施例１〜３では一定線量毎に実効線量を算出する例を示した。実効線量を算出するタイミングはこれら実施例に限定されず、例えば、粒子線ビームのエネルギー、照射角度、時間で実効線量を計算するタイミングを決めることが可能である。
【０１２２】
また、実施例１〜３では、照射計画作成装置３と線量計算装置４とは共通のハードウェアにより実現されるものとして説明したが、これらを別のハードウェアにより実現してもよい。
【０１２３】
さらに、線量計算装置４を構成するハードウェアはＧＰＵ（Ｇｒａｐｈｉｃｓ  Ｐｒｏｃｅｓｓ  Ｕｎｉｔ）を搭載するものを含む。線量カーネルとフルエンスマップの行列掛け算をＧＰＵを用いて並列に処理すればさらに計算が高速になる。
【０１２４】
さらに、実施例１〜３では、一定線量毎に実効線量を計算する例を示した（例えば０．５Ｇｙを照射するたびに実効線量を計算し、表示する）。当然、照射する線量は常に一定に保つ必要はない。
【０１２５】
寡分割治療において、例えば患者に１０Ｇｙを照射する必要がある時に、まず０．５Ｇｙを照射し、一時停止する。その後、実効線量を計算し、線量分布または線量分布から計算可能な指標を治療計画での指標と比較する。治療計画での指標を達成している場合、次に照射する線量を１Ｇｙに増やし、その後一時停止して実効線量を計算しても良い。治療に必要な線量、１０Ｇｙを全て照射するまでに、この過程を自動的に繰り返す機能を実装する事も考えられる。
【０１２６】
この機能により、安全な治療が見込める時に、実効線量の確認回数を減らし、効率的な治療を提供する事が可能である。
【０１２７】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ等の記録装置、または、ＩＣカード、ＳＤカード、ＤＶＤ等の記録媒体に置くことができる。
【０１２８】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１２９】
Ｓ…粒子線治療システム  １…粒子線治療装置  ２…治療計画装置  ３…照射計画作成装置  ４…線量計算装置  ４０…制御部（演算装置）  ４１…記憶部  ４２…入力部（入力装置）  ４３…表示部（表示装置）  ４０１…線量分布算出部  ４０２…表示制御部  ４０３…比較部  ４０４…比較結果送出部  ４０５…制御信号送出部  ４１１…照射ログデータ  ４１２…ＲＯＩデータ  ４１３…カーネルデータ  ４１４…フルエンスマップ  ４１５…断層画像情報  ４１６…算出指定情報  ４１７…基準値指定情報  ４１８…線量分布データ  ４１９…線量指標データ
【図１】
2020162701.tif 000003
【図２】
2020162701.tif 000004
【図３】
2020162701.tif 000005
【図４】
2020162701.tif 000006
【図５】
2020162701.tif 000007
【図６】
2020162701.tif 000008
【図７】
2020162701.tif 000009
【図８】
2020162701.tif 000010
【図９】
2020162701.tif 000011
【図１０】
2020162701.tif 000012
【図１１】
2020162701.tif 000013
【図１２】
2020162701.tif 000014
【図１３】
2020162701.tif 000015
【図１４】
2020162701.tif 000016
【図１５】
2020162701.tif 000017